(57)【要約】【課題】  １つの機種・１つの外装カバーに対して、基板実装チップタイプで、大きさ・形状が異なる発光ダイオードを選択使用可能にするビデオカメラを提供する。【解決手段】  外装カバーに照明レンズ位置決め用の突き当て面を設け、突き当て面を光軸方向に段差を有し、照明レンズを光軸方向の２位置以上に位置決め可能であり、２位置以上の位置決め面を光軸周り方向に配置する。照明レンズは、外装カバーの位置決め面に当接させる突出部（面）を有し、照明レンズや光源からの不要な光漏れを防止する遮光部材と、遮光部材に照明レンズの突出部を外装カバーの位置決め面との間に挟み込む面を設け、外装カバーと光源である発光ダイオードを実装した電気回路基板との間に照明レンズと遮光部材を挟み込む構造とする。【選択図】        図３
2006197211.tif 000002
【特許請求の範囲】
【請求項１】
イメージセンサを有し、被写体の画像情報を読み取る、読取手段と、前記イメージセンサに結像させる為の撮像レンズ等の結像手段と、被写体を照明する為のライト等の照明手段とを備え、前記照明手段として複数の光源のうち１つを選択可能にした構造を有することを特徴とするビデオカメラ。
【請求項２】
前記照明手段は、カメラボディ内に固定された電気回路基板上に設けられた発光ダイオード等の光源と、光源から発する光を投配光する為の照明レンズ、および前記照明レンズの位置を変更可能にした位置変更手段を有することを特長とする請求項１記載のビデオカメラ。
【請求項３】
前記照明レンズ位置変更手段は、前記照明レンズに設けられた突出部と、カメラの外観カバーに設けられ、照明レンズの光軸方向に段差を有する突き当て部と、照明レンズを外観カバーとの間に挟み込んで保持する部材を有し、保持部材が発光ダイオードと当接または発光ダイオードを実装する電気回路基板と当接し、外観カバーに固定される電気回路基板で抑止されることを特徴とする請求項２記載のビデオカメラ。
【請求項４】
前記照明レンズは、第１の位置と第２の位置との組込み位置を選択可能、および前記照明レンズの第１の位置と第２の位置とは照明レンズの姿勢が照明レンズ光軸回りに直交する方向であって、照明レンズの位置が照明レンズ光軸方向で異なることを特徴とする請求項３記載のビデオカメラ。
【請求項５】
前記発光ダイオードは電気回路基板に実装されるオンチップタイプであることを特徴とする請求項４記載のビデオカメラ。
【請求項６】
前記照明手段は、光源となる発光ダイオードを実装する電気回路基板と照明レンズ突き当て面との最大距離を、選択使用を想定する最大高さ（光軸方向寸法）の発光ダイオードに合わせて設定することを特徴とする請求項５記載のビデオカメラ。
【発明の詳細な説明】
【技術分野】
【０００１】
本発明は、動画撮影および静止画撮影可能なビデオカメラ等の撮像装置、また、この撮像装置からの指令によって発光を行う照明装置に関するものである。
【背景技術】
【０００２】
１つの機種・１つの外装カバーに取り付ける照明装置で、基板実装チップタイプの発光ダイオード（ＬＥＤ）と集光レンズとで構成される照明装置は、発光ダイオードの大きさ・形状・種類が同一な場合を除いては、照明レンズの位置が発光ダイオードの発光面との距離で規定されている為、最少部品点数で構成すると、使用種類は１種類に限られる。
【０００３】
例えば、下記特許文献１には、カメラ装置に付加する照明装置が携帯電話の例で詳細に開示され、発光ダイオードの利点や照明光学系の薄型化・小型化の要素等が説明されているので、光学系や要素の機能については省略するが、この例では照明装置の光源である１つの発光ダイオードに対しての光学系の配置・構成によって薄型化・小型化の為の手法が開示されている。また、携帯電話の例では比較的撮影光学系と照明系の光軸が近いことや撮影レンズが単焦点・単倍率が主流であるので、光源の選択肢は少ない。
【特許文献１】特開２００４−２５２４６９号公報
【発明の開示】
【発明が解決しようとする課題】
【０００４】
近年、ニーズの多様化によって、１つの機種の中でも仕様の異なるビデオカメラが要望されている。例えば、外装カバー色・撮影レンズのズーム倍率・照明装置の有無・外部とのインターフェイス用のジャックの種類等多岐に渡る。ビデオカメラ等の撮像装置では先に述べた携帯電話等の撮影光学系に対して、多焦点・光学変倍率の光学系が主流であって、撮影光学系の光軸に対して照明系の光軸が比較的離れていて、照明の照射範囲を撮影光学系に合わせることが必要になり、撮影光学系に合わせて設定できる照明装置を選択できるものが望まれている。これら仕様の違いに対応してカメラの部品を個別に設定したり、調整機構等で構成したり、機能しない部品を搭載したりすることは製品のコストの増大を招き、不必要な機能にまでコストを費やさねばならない。
【０００５】
本発明は上述の課題に鑑みてなされたものであって、１つの機種・１つの外装カバーに対して、基板実装チップタイプで、大きさ・形状が異なる発光ダイオードを用途に応じて最少部品点数・最少コストで選択使用可能にすることのできるビデオカメラを提供することを目的とする。
【課題を解決するための手段】
【０００６】
上記目的を達成するため、本発明のビデオカメラは次の（１）に示すとおりのものである。
【０００７】
（１）イメージセンサを有し、被写体の画像情報を読み取る、読取手段と、前記イメージセンサに結像させる為の撮像レンズ等の結像手段と、被写体を照明する為のライト等の照明手段とを備え、前記照明手段として複数の光源のうち１つを選択可能にした構造を有するビデオカメラ。
【０００８】
本発明に係るビデオカメラの第１の構成は、照明手段として複数の光源のうち１つを選択可能にした構造を有するビデオカメラであることを特徴とする。第１の構成においては、複数の光源のうちから１つを選択し得るようにし、コスト・機能面でユーザーの望む選択ができるようにした。
【０００９】
本発明に係るビデオカメラの第２の構成は、照明レンズの位置を変更可能にした位置変更手段を設けたことを特徴とする。第２の構成においては、第２の光源が使用可能となる。
【００１０】
本発明に係るビデオカメラの第３の構成は、照明レンズ位置変更手段は、前記照明レンズに設けられた突出部と、カメラ外観カバーに設けられ、照明レンズの光軸方向に段差を有する突き当て部と、照明レンズをカメラ外観カバーとの間に挟み込んで保持する部材を有し、保持部材は発光ダイオードと当接または発光ダイオードを実装する電気回路基板と当接することで、外観カバーに締結される電気回路基板で抑止することを特徴とする。第３の構成においては、カメラを小型化できる。
【００１１】
本発明に係るビデオカメラの第４の構成は、照明レンズは、第１の位置と第２の位置との組込み位置を選択可能、および照明レンズの第１の位置と第２の位置とは照明レンズ光軸回りに直交する方向であって、照明レンズ光軸方向の設置位置が異なることを特徴とする。第４の構成においては、カメラを小型化でき、組立て工数の低減によりコストを低減しながら２種類の発光ダイオードを選択使用できる。
【００１２】
本発明に係るビデオカメラの第５の構成は、発光ダイオードは電気回路基板に実装されるチップタイプであることを特徴とする。第５の構成においては、発光ダイオードがチップタイプなので、カメラの必要最少スペース内で複数の光源を選択的に使用できる。
【００１３】
本発明に係るビデオカメラの第６の構成は、照明手段は、光源となる発光ダイオードを実装する電気回路基板と照明レンズ突き当て面との最大距離を、選択使用を想定する最大高さ（光軸方向寸法）の発光ダイオードに合わせて設定することを特徴とする。第６の構成においては、照明手段は、光源となる発光ダイオードを実装する電気回路基板と照明レンズ突き当て面との最大距離を、選択使用を想定する最大高さ（光軸方向寸法）の発光ダイオードに合わせて設定するので、カメラの必要最少スペース内で複数の光源を選択的に使用できる。
【発明の効果】
【００１４】
本発明によれば、ビデオカメラやデジタルカメラ、カメラ付き携帯電話等のいわゆるカメラ装置やチップタイプの発光ダイオードを使用した照明装置の小型化・省スペース化、低コスト化等を図りながら、照明装置を付加価値（撮像レンズのズーム倍率等）に合わせて選択可能にし、機能等の選択幅を増やし、使用者に選択権を提供し、機能に見合う安価で使い勝手の良いビデオカメラ装置を提供することができる。
【発明を実施するための最良の形態】
【００１５】
以下、添付の図面に沿って本発明の実施の形態を説明する。本発明の実施の形態にかかるビデオカメラは動画撮影および静止画撮影が可能なものである。
【００１６】
図１は本発明の第１実施形態における撮像装置であるビデオカメラの正面外観図、図２は本発明の第１実施形態における撮像装置であるビデオカメラの外装カバーを取り去った場合の内部構造を示す正面図、図３は本発明の第１実施形態におけるビデオカメラのカメラ本体内に内蔵した被写体照射用ライトの部分分解斜視図、図４は本発明の第１実施形態におけるビデオカメラのカメラ本体内に内蔵した被写体照射用ライトの（ａ）部分正面図と（ｂ）部分断面図、図５は本発明の第２実施形態におけるビデオカメラのカメラ本体内に内蔵した被写体照射用ライトの部分分解斜視図、図６は本発明の第２実施形態におけるビデオカメラのカメラ本体内に内蔵した被写体照射用ライトの（ａ）部分正面図と（ｂ）部分断面図、図７は本発明の第３実施形態におけるビデオカメラのカメラ本体内に内蔵した被写体照射用ライトの部分分解斜視図、図８は本発明の第３実施形態におけるビデオカメラのカメラ本体内に内蔵した被写体照射用ライトの（ａ）部分正面図と（ｂ）部分断面図、図９は本発明の第４実施形態におけるビデオカメラのカメラ本体内に内蔵した被写体照射用ライトの部分分解斜視図、図１０は本発明の第４実施形態におけるビデオカメラのカメラ本体内に内蔵した被写体照射用ライトの（ａ）部分正面図と（ｂ）部分断面図、図１１は本発明の第１実施形態における撮像装置であるビデオカメラの前部を抜粋した分解右背面斜視図、図１２は本発明の第１実施形態における撮像装置であるビデオカメラの前部を抜粋し外装カバー類を除去した内部構造の分解右上方斜視図、図１３は本発明の第１実施形態における撮像装置であるビデオカメラの図１のＥ−Ｅ断面図、図１４は本発明の第１実施形態における撮像装置であるビデオカメラの図１のＦ−Ｆ断面図である。
【００１７】
図１において、１０はストロボ装置と被写体照明用ライトの２つの照明装置を内蔵し、動画および静止画が撮影可能な撮像装置であるビデオカメラ本体である。２０は被写体からの反射光を入射させてビデオカメラ内部の撮像素子へと反射光を導く為ための撮影レンズを含む撮影光学系、３０は撮影レンズ２０のサイドに設けられ、被写体に向けて閃光を照射するストロボ装置の発光部、４０はストロボ装置の発光部３０の下側に配置された被写体照射用ライトであり、発光ダイオードと配光用レンズと遮光ホルダーによって構成されている。５０はビデオカメラ本体１０と外部のマイク・表示装置・録画装置・コンピュータと信号の入出力を行う為のインターフェイス用ジャックを配列したジャック部の外装カバーであり開閉可能である。
【００１８】
被写体照射用ライト４０は、ストロボ装置の発光部３０の直下およびジャック部の側近に配置されている。
【００１９】
図２において、５１は金属シールド枠を有するＵＳＢジャック、５２は金属シールド枠を有するＤＶジャック、５３はＡＶジャック、５４はマイクジャック、５５はジャック類を実装する電気回路基板である。
【００２０】
被写体照明用ライト４０はＵＳＢジャック５１とＤＶジャック５２との側近に設けられている。
【００２１】
図３および図４において、１１は外装カバー、４１は被写体照明用ライト４０を構成する集光及び配光の為の照明レンズ、４２は被写体照明用ライト４０を構成する照明方向以外への散光遮光する為の遮光部材、５７は電気回路基板５５に実装された被写体照明用ライト４０の光源であるチップタイプの第１の発光ダイオードである。
【００２２】
照明レンズ４１は外装カバー１１の面１１Ａに面４１Ａが、面１１Ｂに面１４Ｂが当接することで光軸方向の第１の位置に規制される。さらに、照明レンズ４１は遮光ホルダー４２の面４２Ｃに面４１Ｃが、面４２Ｄに面４１Ｄが当接することで光軸方向の第１の位置に保持される。光軸方向の第１の位置は、光源である第１の発光ダイオード５７の発光面に対して光学的に計算された距離を以って設置される。
【００２３】
図５および図６において、５８は電気回路基板５５に実装された被写体照明用ライト４０の光源であるチップタイプの第２の発光ダイオードである。第２の発光ダイオード５８は前記第１の発光ダイオード５７よりも輝度は低いが、コストも安価である。
【００２４】
照明レンズ４１は外装カバー１１の面１１Ｃに面４１Ａが、面１１Ｄに面４１Ｂが当接することで光軸方向の第２の位置に規制される。さらに、照明レンズ４１は遮光ホルダー４２の面４２Ａに面４１Ｃが、面４２Ｂに面４１Ｄが当接することで光軸方向の第２の位置に保持される。光軸方向の第２の位置は、光源である第２の発光ダイオード５８の発光面に対して光学的に計算された距離を以って設置される。この時、照明レンズ４１における前記光軸方向の第１の位置と前記光軸方向の第２の位置での照明レンズ４１の光軸回りの姿勢は、図４と図６の正面図で比較して明らかなように、光軸回り方向でおよそ９０度をなしている。
【００２５】
本発明の第１実施形態と第２実施形態での被写体照明ランプ４０を構成する部品で異なる部品は光源である発光ダイオードと発光ダイオードを実装する電気回路基板の実装パターンのみである。例えば、電気回路基板５５の実装ランドパターンを第１の発光ダイオード５７と第２の発光ダイオード５８が実装可能であるように設定すれば、本発明の第１実施形態と第２実施形態での被写体照明ランプを構成する部品で異なる部品は光源の発光ダイオードのみとなり、第１実施形態の第１の発光ダイオード５７と第２実施形態の第２の発光ダイオード５８の実装を替え、遮光ホルダー４２への照明レンズ４１の組込み姿勢を変更しさえするだけで被写体照明ランプをコスト・性能等で選択的に設定可能である。
【００２６】
第２の発光ダイオード５８の光軸方向での発光面位置は、第１の発光ダイオード５７の光軸方向での発光面位置以上に電気回路基板５５の発光ダイオード実装面からの距離が大きい。図８（ｂ）と図１０（ｂ）に示す記号を用いてＨ１≧Ｈ２の関係にあり、照明レンズの光学設定値を第１の発光ダイオード５７と第２の発光ダイオード５８に求める場合は、Ｓ１＝Ｓ２とすればよく、第１の発光ダイオード５７を使用して、集光度をよりスポット的に寄せたい場合は、照明レンズ４１を光軸方向の第２の位置に組込むだけでよい。第１実施形態と第２実施形態、第３実施形態と第４実施形態において、照明レンズ４１の第２の位置が設定可能なスペースを確保できるように電気回路基板５５の照明レンズ光軸方向の取り付け位置を設定している。図８（ｂ）と図１０（ｂ）に示す記号を用いてＬ２≧Ｌ１の関係にある。
【００２７】
また、図７および図８において、４３は第１の発光ダイオード５７の形状に対応した遮光ホルダー。照明レンズ４１は外装カバー１１の面１１Ａに面４１Ａが、面１１Ｂに面４１Ｂが当接することで光軸方向の第１の位置に規制される。さらに、照明レンズ４１は遮光ホルダー４３の面４３Ｃに面４１Ｃが、面４３Ｄに面４１Ｄが当接することで光軸方向の第１の位置に保持される。光軸方向の第１の位置は、光源である発光ダイオード５７の発光面に対して光学的に計算された距離を以って設置される。
【００２８】
遮光ホルダー４３は、本発明の第１実施形態における照明レンズ４１が光軸方向の第１の位置および突出部対向方向が略垂直の姿勢で組み込まれるように設定され、照明レンズ４１と第１の発光ダイオード５７および電気回路基板５５との間の光漏れ空間を最少に設定して、配光方向以外への光漏れを改善している。
【００２９】
図９および図１０において、４５は第２の発光ダイオード５８の形状に対応した遮光ホルダー。照明レンズ４１は外装カバー１１の面１１Ｃに面４１Ａが、面１１Ｄに面４１Ｂが当接することで光軸方向の第２の位置に規制される。さらに、照明レンズ４１は遮光ホルダー４５の面４５Ａに面４１Ｃが、面４５Ｂに面４１Ｄが当接することで光軸方向の第２の位置に保持される。光軸方向の第２の位置は、光源である発光ダイオード５８の発光面に対して光学的に計算された距離を以って設置される。
【００３０】
遮光ホルダー４５は、本発明の第２実施形態における照明レンズ４１が光軸方向第２の位置および突出部が略水平の姿勢で組込まれるように設定され、照明レンズ４１と第２の発光ダイオード５８および電気回路基板５６との間の光漏れ空間を最少に設定して、配光方向以外への光漏れを改善している。
【００３１】
第３実施形態と第４実施形態での被写体照明ランプ４０を構成する部品で異なる部品は光源である発光ダイオードと発光ダイオードを実装する電気回路基板の実装パターン及び遮光ホルダーである。例えば、電気回路基板５５の実装ランドパターンを第１の発光ダイオードと第２の発光ダイオードが実装可能であるように設定すれば、第３実施形態と第４実施形態での被写体照明ランプを構成する部品で異なる部品は光源の発光ダイオードと遮光ホルダーとなり、第３実施形態の発光ダイオード５７と第４実施形態の発光ダイオード５８の実装を交換し、各々に対応した遮光ホルダー４３と遮光ホルダー４５とを交換し、照明レンズ４１の組込み姿勢を変更するだけで被写体照明ランプをコスト・性能等で選択的に設定可能である。
【００３２】
図４（ａ）、図６（ａ）、図８（ａ）、図１０（ａ）で示すように、第１の発光ダイオード５７の発光部中心５７Ｅ、及び第２の発光ダイオード５８の発光部中心５８Ｅは、各々照明レンズ４１の光軸４１Ｅと一致させていない。照明レンズ４１の光軸は撮影光学系２０の光軸と一致させる構成をとることができない場合に、被写体照明ランプ４０による光源からの光の配光中心を一定距離で撮影光学系２０の光軸と交差させる目的で、照明レンズ４１の光軸上から光源の輝度中心を意図的にずらしている。ずらし量は、撮影光学系２０の光軸と照明レンズ４１の光軸との距離、被写体照明ランプ４０の輝度、カメラの使用目的によって適宜設定任意であるが、本発明の第１実施形態および第３実施形態では、撮影光学系のズーム倍率２０倍に対して撮影距離１５０ｃｍ程度、第３実施形態および第４実施形態では撮影光学系のズーム倍率１０倍に対して７５ｃｍ程度に対応するように設定している。もちろん撮影効果を意図して、第１の発光ダイオード５７の発光部中心５７Ｅ、および第２の発光ダイオード５８の発光部中心５８Ｅが、各々照明レンズ４１の光軸４１Ｅ一致するように構成しても良い。このような配置構成はストロボ装置の発光部３０に用いることも可能である。
【００３３】
図１１および図１２において、６０は電気回路基板や筐体板金とのアース採り用の板金であり、電気特性や熱伝導性を考慮して、厚さ０．２ｍｍ程度のばね用リン青銅を用いている。
【００３４】
板金６０は、回路基板５５との電気的接続部６０Ａ、６０Ｂ、６０Ｃを有し、接続部６０Ｄで筐体板金に電気的接続を行っている。接続部６０Ａは基板５５のＧＮＤパターンに接し、板金６０のばね性によって基板５５のＧＮＤパターンに電気的導通をなして圧接され、密着性を改善する目的でＧＮＤパターン上の接続部６０Ａとの接触範囲に粒状の細かい半田盛りを施している。前記ＧＮＤパターンの基板面の反対面にもＧＮＤパターンが設けられ、スルホールメッキ等の手段によって電気的に導通し、発光ダイオード５７の投影範囲を網羅かつ発光ダイオードの実装パターンの周囲を取り囲む形で設けられている。さらに、側近には金属シールド枠を有するＵＳＢジャック５１とＤＶジャック５２とが配置され、該シールド枠が基板５５のＧＮＤパターンに半田付けされて、基板５５に実装されている。例えば、発光ダイオード５７が高輝度のものを選択使用する場合、発光ダイオードの発熱によって発光ダイオード自体の輝度が減少してしまう問題があるが、上述のように配置することによって発光ダイオードの発熱による熱をカメラ本体外部に効率よく放熱することができる。
【００３５】
放熱経路を説明するなら、発光ダイオード５７の投影範囲を網羅かつ発光ダイオードの実装パターンの周囲を取り囲む形で設けられたＧＮＤパターンに発光ダイオードからの熱が伝わり、該ＧＮＤパターンは側近に設けられたＵＳＢジャック５１とＤＶジャック５２の金属シールド枠に繋がっているから発光ダイオードで発生した熱は、一部がカメラ本体外部に露出した金属シールド枠を通じて、カメラ外部へ放熱される。放熱効率を上げるには、ジャックカバー５０に外観デザインを考慮した穴を開けたり、外観上で目立たない場所に隙間を開ければ良い。
【００３６】
また、発光ダイオード５７の投影範囲を網羅かつ発光ダイオードの実装パターンの周囲を取り囲む形で設けられたＧＮＤパターンに発光ダイオードからの熱が伝わり、スルホールを介して反対面のＧＮＤパターンに熱が伝わって板金６０に伝わり、板金６０の放熱フィン部６０Ｆから外部へ放熱される。
【００３７】
さらに、板金６０は当接部６０Ｅが後述のプラスチックメッキされたマイクカバー１３の当接部１３Ｅに当接している為、カメラ本体外部に露出したマイクカバー１３からも放熱が行われる。
【００３８】
図１３および図１４において、１３は外装カバーの一部を構成するマイクカバーで、マイクへの音入れ穴を有し、樹脂素材で成型され、全面にプラスチックメッキが施されている。７０はマイク、７１はマイクを外部振動から隔離する為のダンパーゴム、７２はダンパーゴム７１に保持されたマイク７０をマイクカバー１３の箱部１３Ｂに収納する為に閉じ蓋の機能を持つ金属や金属を含む樹脂等で構成されたマイクプレートで、電磁波等の外部ノイズからマイク部をシールドする機能を有する。７３は多穴質の材料で構成された細目シート、７４は従来マイク部に用いていたシールド板金（図１１）。
【００３９】
マイク部は、近年のマイクロフォン素子感度の向上に伴って、振動板等が非常に繊細になっており、電磁波等の影響も無視できなくなっているので、マイク部の音入れ穴を有するカバーには金属プレート等の素材を使用していた。もしくは音入れ穴を有するカバーを樹脂等で構成した場合には図１１に二点鎖線で示すようなシールド板金７４等でマイク７０を包み込み電磁波の影響を緩和する必要がある。
【００４０】
さらに、音入れ穴を有するカバーを樹脂等で構成した場合には、強度や成形の流れ性などを考慮して音入れ穴の端面の面積が大きくなる。音入れ穴の端面の面積が大きいと風切り音の影響が増大するので、図１１に二点鎖線で示すような細目シート７３をマイクと音入れ穴を有する壁との間に挿入したり、図１４に示すように音入れ穴を有する壁からマイクを遠ざけたり、してその為の部品やスペースを必要とするので部品点数の削減や小型化が困難であった。金属プレートで構成しても、結局、プレート部品と細目シート７３が置き換わるだけで部品点数の削減にはならない。
【００４１】
しかし、樹脂等の材質で構成されたマイクカバー１３の全面にプラスチックメッキ等の導電性皮膜を形成し、導電性皮膜と電気回路基板のＧＮＤや筐体板金との導通をとることによってマイクカバー１３に電磁シールド効果を持たせ、従来必要としていたシールド板７４を削減している。また、全面にメッキするのでメッキ層が樹脂をサンドイッチした構造となり、マイク音入れ穴を有する壁の肉厚を薄くすることが可能で、メッキ層が穴周囲のエッジ部１３Ａにおいて他の面より厚く付く性質から音入れ穴エッジ部のＲが大きくなり、風切り音を軽減する効果がある。これにより、細目シート７３をマイクと音入れ穴を有する壁との間に挿入する必要がなくなり、音入れ穴を有する壁にマイクを近づけることが可能になって、部品点数の削減や小型化が可能となる。
【図面の簡単な説明】
【００４２】
【図１】本発明の第１実施形態における撮像装置であるビデオカメラの正面外観図である。
【図２】本発明の第１実施形態における撮像装置であるビデオカメラの外装カバーを取り去った場合の内部構造を示す正面図である。
【図３】本発明の第１実施形態におけるビデオカメラのカメラ本体内に内蔵した被写体照射用ライトの部分分解斜視図である。
【図４】本発明の第１実施形態におけるビデオカメラのカメラ本体内に内蔵した被写体照射用ライトの、（ａ）が部分正面図、（ｂ）が部分断面図（Ａ−Ａ断面）である。
【図５】本発明の第２実施形態におけるビデオカメラのカメラ本体内に内蔵した被写体照射用ライトの部分分解斜視図である。
【図６】本発明の第２実施形態におけるビデオカメラのカメラ本体内に内蔵した被写体照射用ライトの、（ａ）が部分正面図、（ｂ）が部分断面図（Ｂ−Ｂ断面）である。
【図７】本発明の第３実施形態におけるビデオカメラのカメラ本体内に内蔵した被写体照射用ライトの部分分解斜視図である。
【図８】本発明の第３実施形態におけるビデオカメラのカメラ本体内に内蔵した被写体照射用ライトの、（ａ）が部分正面図、（ｂ）が部分断面図（Ｃ−Ｃ断面）である。
【図９】本発明の第４実施形態におけるビデオカメラのカメラ本体内に内蔵した被写体照射用ライトの部分分解斜視図である。
【図１０】本発明の第４実施形態におけるビデオカメラのカメラ本体内に内蔵した被写体照射用ライトの、（ａ）が部分正面図、（ｂ）が部分断面図（Ｄ−Ｄ断面）である。
【図１１】本発明の第１実施形態における撮像装置であるビデオカメラの前部を抜粋した分解右背面斜視図である。
【図１２】本発明の第１実施形態における撮像装置であるビデオカメラの前部を抜粋し外装カバー類を除去した内部構造の分解右上方斜視図である。
【図１３】本発明の第１実施形態における撮像装置であるビデオカメラの図１のＥ−Ｅ断面図である。
【図１４】本発明の第１実施形態における撮像装置であるビデオカメラの図１のＦ−Ｆ断面図である。
【符号の説明】
【００４３】
１０  ビデオカメラ本体
１１  外装カバー
１２  保護カバー
１３  マイクカバー
１５  外装フロントカバー
１６  リモコンカバー
２０  撮影光学系、撮影レンズ
３０  ストロボ装置の発光部
４０  被写体照射用ライト、被写体照明ランプ
４１  照明レンズ
４２  遮光ホルダー
４３  遮光ホルダー
４５  遮光ホルダー
５０  ジャックカバー
５１  ＵＳＢジャック
５２  ＤＶジャック
５３  ＡＶジャック
５４  ＭＩＣジャック
５５  電気回路基板
５６  電気回路基板
５７  第１の発光ダイオード
５８  第２の発光ダイオード
５９  リモコン受光素子
６０  ＧＮＤプレート、板金
７０  マイクロフォン素子、マイク
７１  ＭＩＣゴム、ダンパーゴム
７２  マイクプレート
７３  細目シート
７４  シールド板
【図１】
2006197211.tif 000003
【図２】
2006197211.tif 000004
【図３】
2006197211.tif 000005
【図４】
2006197211.tif 000006
【図５】
2006197211.tif 000007
【図６】
2006197211.tif 000008
【図７】
2006197211.tif 000009
【図８】
2006197211.tif 000010
【図９】
2006197211.tif 000011
【図１０】
2006197211.tif 000012
【図１１】
2006197211.tif 000013
【図１２】
2006197211.tif 000014
【図１３】
2006197211.tif 000015
【図１４】
2006197211.tif 000016